【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
画像形成部にて形成されたトナー像を担持する像担持体と、
前記像担持体上のトナー像を転写位置にてシートに転写する転写部と、
シート積載部材に積載されたシートを１枚ずつに分離し、挟持して給送する分離給送部と、
前記分離給送部から給送されてきたシートを一旦停止させた後、前記転写部へ搬送するレジスト部と、
少なくとも前記レジスト部による再給紙開始時にシートの後端側が前記分離給送部で挟持される第１長さのシートを搬送する場合には、前記レジスト部による再給紙開始時に該シートの後端側が前記分離給送部で挟持されない、前記第１長さよりも短い第２長さのシートを搬送する場合よりも、前記画像形成部による画像形成開始タイミングに対する、前記レジスト部による再給紙開始タイミングを早くするように前記レジスト部を制御する制御部と、を備えた、
ことを特徴とする画像形成装置。
【請求項２】
前記レジスト部による再給紙開始時にシートの後端側が前記分離給送部で挟持される前記第１長さのシートを搬送する場合、シートの搬送方向の長さが長い程、前記レジスト部による再給紙開始タイミングを早くするように前記制御部が前記レジスト部を制御する、
ことを特徴とする請求項１に記載の画像形成装置。
【請求項３】
前記第１長さのシートであって且つ前記分離給送部から前記転写位置までの搬送距離よりも搬送されるシートの長さが長い場合には、前記第１長さのシートであって且つ前記分離給送部から前記転写位置までの搬送距離よりも搬送されるシートの長さが短い場合よりも、前記レジスト部による再給紙開始タイミングを早くするように前記制御部が前記レジスト部を制御する、
ことを特徴とする請求項１に記載の画像形成装置。
【請求項４】
前記制御部は、シートの坪量が所定の坪量以上の場合に、前記画像形成部による画像形成開始タイミングに対する前記レジスト部による再給紙開始タイミングを前記第１長さのシートを搬送する場合において前記第２長さのシートを搬送する場合よりも、早くするように前記レジスト部を制御し、シートの坪量が前記所定の坪量未満の場合には、前記画像形成部による画像形成開始タイミングに対する前記レジスト部による再給紙開始タイミングを前記第１長さのシートを搬送する場合と前記第２長さのシートを搬送する場合とで同じタイミングにする、
ことを特徴とする請求項１乃至３のいずれかに記載の画像形成装置。
【請求項５】
画像形成部にて形成されたトナー像を担持する像担持体と、
前記像担持体上のトナー像を転写位置にてシートに転写する転写部と、
シート積載部材に積載されたシートを１枚ずつに分離し、挟持して給送する分離給送部と、
前記分離給送部から給送されてきたシートを一旦停止させた後、前記転写部へ搬送するレジスト部と、
前記レジスト部による再給紙開始時にシートの後端側が前記分離給送部で挟持される長さのシートを搬送する場合において、シートの搬送方向の長さが長い程、前記画像形成部による画像形成開始タイミングに対する、前記レジスト部による再給紙開始タイミングを早くするように制御する制御部と、を備える、
ことを特徴とする画像形成装置。
【請求項６】
前記制御部は、搬送されるシートの坪量が所定の坪量以上の場合に、シートの長さが長い程前記画像形成部による画像形成開始タイミングに対する、前記レジスト部による再給紙開始タイミングを早くし、シートの坪量が前記所定の坪量未満の場合には、前記画像形成部による画像形成開始タイミングに対する、前記レジスト部による再給紙開始タイミングをシートの長さに応じて変更しない、
ことを特徴とする請求項１乃至５のいずれか１項に記載の画像形成装置。
【請求項７】
画像形成部にて形成されたトナー像を担持する像担持体と、
前記像担持体上のトナー像を転写時速度で搬送されるシートに転写する転写部と、
シート積載部材に積載されたシートを１枚ずつに分離し、挟持して給送する分離給送部と、
前記分離給送部から給送されてきたシートを前記転写部に搬送するレジスト部と、を備え、
前記レジスト部が、前記転写時速度よりも速い速度でシートを搬送した後に、シートの先端が前記転写部に達する前に前記転写時速度までシートが減速されるように構成された画像形成装置であって、
前記レジスト部がシートを搬送するときに該シートの後端側が前記分離給送部で挟持される第１長さのシートを搬送する場合には、前記レジスト部がシートを搬送するときに該シートの後端側が前記分離給送部で挟持されない、前記第１長さよりも短い第２長さのシートを搬送する場合よりも、前記画像形成部による画像形成開始タイミングに対する、前記レジスト部が前記転写時速度に減速するタイミングを遅くするように制御する制御部を備える、
ことを特徴とする画像形成装置。
【請求項８】
前記レジスト部がシートを搬送するときに該シートの後端側が前記分離給送部で挟持される第１長さのシートを搬送する場合、シートの搬送方向の長さが長い程、前記転写時速度に減速するタイミングを遅くするように前記制御部が前記レジスト部を制御する、
ことを特徴とする請求項７に記載の画像形成装置。
【請求項９】
前記分離給送部から前記転写位置までの搬送距離よりも搬送されるシートの長さが長い場合には、前記分離給送部から前記転写位置までの搬送距離よりも搬送されるシートの長さが短い場合よりも、前記画像形成部による画像形成開始タイミングに対する、前記レジスト部が前記転写時速度に減速するタイミングを遅くするよう前記制御部が前記レジスト部を制御する、
ことを特徴とする請求項７に記載の画像形成装置。
【請求項１０】
前記レジスト部と前記転写部との間に配置されて前記レジスト部より搬送されてきたシートの先端を検知する先端検知部を備え、
搬送されるシートの搬送方向長さが前記分離給送部のニップ部から前記先端検知部までの搬送距離より長い場合には、前記分離給送部のニップ部から前記先端検知部までの搬送距離より短い場合に比して、前記先端検知部によりシートの先端を検知した後に前記転写時速度まで減速させるタイミングを遅くするように前記制御部が前記レジスト部を制御する、
ことを特徴とする請求項７に記載の画像形成装置。
【請求項１１】
前記制御部は、シートの坪量が所定の坪量以上の場合に、前記画像形成部による画像形成開始タイミング対する、前記レジスト部が前記転写時速度に減速するタイミングを前記第１長さのシートを搬送する場合において前記第２長さのシートを搬送する場合よりも、遅くするように前記レジスト部を制御し、前記搬送されるシートの坪量が所定の坪量未満の場合には、前記画像形成部による画像形成開始タイミング対する、前記レジスト部が前記転写時速度に減速するタイミングを前記第１長さのシートを搬送する場合と前記第２長さのシートを搬送する場合とで同じタイミングにする、
ことを特徴とする請求項７乃至１０のいずれか１項に記載の画像形成装置。
【請求項１２】
画像形成部にて形成されたトナー像を担持する像担持体と、
前記像担持体上のトナー像を、転写速度で搬送されるシートに転写位置にて転写する転写部と、
シート積載部材に積載されたシートを１枚ずつに分離し、挟持して給送する分離給送部と、
前記分離給送部から給送されてきたシートを、前記転写部に搬送するレジスト部と、を有し、
前記レジスト部が、前記転写速度よりも速い速度でシートを搬送した後に、シートの先端が前記転写部に達する前に前記転写速度に減速してシートを搬送する画像形成装置であって、
前記レジスト部がシートを搬送するときに該シートの後端側が前記分離給送部で挟持される長さのシートを搬送する場合において、シートの搬送方向の長さが長い程、前記画像形成部による画像形成開始タイミングに対する前記レジスト部が前記転写速度に減速するタイミングを遅くするように制御する制御部を有する、
ことを特徴とする画像形成装置。
【請求項１３】
シートの長さが、前記レジスト部がシートを搬送するときに該シートの後端側が前記分離給送部で挟持される長さであって且つ前記分離給送部から前記転写位置までの搬送距離よりも長い場合には、シートの長さが、前記レジスト部がシートを搬送するときに該シートの後端側が前記分離給送部で挟持される長さであって且つ前記分離給送部から前記転写部までの搬送距離よりも短い場合よりも、前記画像形成部による画像形成開始タイミングに対する前記レジスト部が前記転写速度に減速するタイミングを遅くするように前記制御部が前記レジスト部を制御する、
ことを特徴とする請求項１２に記載の画像形成装置。
【請求項１４】
前記レジスト部と前記転写部との間に配置されて前記レジスト部より搬送されてきたシートの先端を検知する先端検知部を備え、
シートの搬送方向長さが前記分離給送部から前記先端検知部までの搬送距離より長い場合には、前記分離給送部から前記先端検知部までの搬送距離より短い場合に比して、前記先端検知部によりシートの先端を検知した後に前記転写速度まで減速させるタイミングを遅くするように前記制御部が前記レジスト部を制御する、
ことを特徴とする請求項１２に記載の画像形成装置。
【請求項１５】
前記制御部は、シートの坪量が所定の坪量以上の場合に、搬送方向の長さが長い程、前記画像形成部による画像形成開始タイミングに対する前記レジスト部が前記転写速度に減速するタイミングを遅くするように制御し、シートの坪量が所定の坪量未満の場合には、前記画像形成部による画像形成開始タイミングに対する前記レジスト部が前記転写速度に減速するタイミングをシートの長さに応じて変更しない、
ことを特徴とする請求項１２乃至１４のいずれか１項に記載の画像形成装置。
【請求項１６】
画像形成部にて形成されたトナー像を担持する像担持体と、
前記像担持体上のトナー像をシートに転写位置にて転写する転写部と、
シート積載部材に積載されたシートを1枚ずつに分離し、挟持して給送する分離給送部と、
前記分離給送部から給送されてきたシートを前記転写部へ搬送するレジスト部と、
前記レジスト部がシートを搬送するときに該シートの後端側が前記分離給送部で挟持される第１長さのシートを搬送する場合には、前記レジスト部がシートを搬送するときに該シートの後端側が前記分離給送部で挟持されない、前記第１長さよりも短い第２長さのシートを搬送する場合よりも、前記画像形成部による画像形成開始タイミングを遅くするように制御する制御部と、を有する、
ことを特徴とする画像形成装置。
【請求項１７】
前記第１長さのシートを搬送する場合、シートの搬送方向の長さが長い程、前記画像形成部が前記画像形成を開始するタイミングを遅くするように前記制御部が制御する、
ことを特徴とする請求項１６に記載の画像形成装置。
【請求項１８】
シートの長さが、前記レジスト部がシートを搬送するときに該シートの後端側が前記分離給送部で挟持される長さであって且つ前記分離給送部から前記転写位置までの搬送距離よりも搬送されるシートの長さが長い場合には、シートの長さが、前記レジスト部がシートを搬送するときに該シートの後端側が前記分離給送部で挟持される長さであって且つ前記分離給送部から前記転写位置までの搬送距離よりも搬送されるシートの長さが短い場合よりも、前記画像形成部が前記画像形成を開始するタイミングを遅くするように前記制御部が制御する、
ことを特徴とする請求項１６に記載の画像形成装置。
【請求項１９】
前記制御部は、シートの坪量が所定の坪量以上の場合に、前記画像形成部による画像形成開始タイミングを前記第１長さのシートを搬送する場合において前記第２長さのシートを搬送する場合よりも遅くするように制御し、シートの坪量が前記所定の坪量未満の場合には、前記画像形成部による画像形成開始タイミングを前記第１長さのシートを搬送する場合と前記第２長さのシートを搬送する場合とで同じタイミングにする、
ことを特徴とする請求項１６乃至１８のいずれか１項に記載の画像形成装置。
【請求項２０】
画像形成部にて形成されたトナー像を担持する像担持体と、
前記像担持体上のトナー像をシートに転写位置にて転写する転写部と、
シート積載部材に積載されたシートを１枚ずつに分離し、挟持して給送する分離給送部と、
前記分離給送部から給送されてきたシートを前記転写部へ搬送するレジスト部と、
前記レジスト部がシートを搬送するときに該シートの後端側が前記分離給送部で挟持される長さのシートを搬送する場合において、搬送されるシートの搬送方向の長さが長い程、前記画像形成部による画像形成開始タイミングを遅くするように制御する制御部と、を有する、
ことを特徴とする画像形成装置。
【請求項２１】
シートの長さが、前記レジスト部がシートを搬送するときに該シートの後端側が前記分離給送部で挟持される長さで且つ前記分離給送部から前記転写位置までの搬送距離よりも長い場合には、シートの長さが、前記レジスト部がシートを搬送するときに該シートの後端側が前記分離給送部で挟持される長さで且つ前記分離給送部から前記転写位置までの搬送距離よりも短い場合よりも、前記画像形成部による画像形成開始タイミングを遅くするように前記制御部が制御する、
ことを特徴とする請求項２０に記載の画像形成装置。
【請求項２２】
前記制御部は、搬送されるシートの坪量が所定の坪量以上の場合に、搬送方向の長さが長い程、前記画像形成部による画像形成開始タイミングを遅くするように制御し、搬送されるシートの坪量が前記所定の坪量未満の場合には、前記画像形成部による画像形成開始タイミングをシートの長さに応じて変更しない、
ことを特徴とする請求項２０又は２１に記載の画像形成装置。
【請求項２３】
前記レジスト部は、前記分離給送部から給送されてきたシートを一旦停止させた後、前記転写部へシートを搬送し、
前記レジスト部は、一定間隔毎に、一旦停止させたシートを前記転写部へ搬送するのを開始するように制御される、
ことを特徴とする請求項１６乃至２２のいずれか１項に記載の画像形成装置。
【手続補正２】
【補正対象書類名】明細書
【補正対象項目名】０００９
【補正方法】変更
【補正の内容】
【０００９】
本発明は、画像形成部にて形成されたトナー像を担持する像担持体と、前記像担持体上のトナー像を転写位置にてシートに転写する転写部と、シート積載部材に積載されたシートを１枚ずつに分離し、挟持して給送する分離給送部と、前記分離給送部から給送されてきたシートを一旦停止させた後、前記転写部へ搬送するレジスト部と、少なくとも前記レジスト部による再給紙開始時にシートの後端側が前記分離給送部で挟持される第１長さのシートを搬送する場合には、前記レジスト部による再給紙開始時に該シートの後端側が前記分離給送部で挟持されない、前記第１長さよりも短い第２長さのシートを搬送する場合よりも、前記画像形成部による画像形成開始タイミングに対する、前記レジスト部による再給紙開始タイミングを早くするように前記レジスト部を制御する制御部と、を備えたことを特徴としている。
【手続補正３】
【補正対象書類名】明細書
【補正対象項目名】００１０
【補正方法】変更
【補正の内容】
【００１０】
また、本発明は、画像形成部にて形成されたトナー像を担持する像担持体と、前記像担持体上のトナー像を転写位置にてシートに転写する転写部と、シート積載部材に積載されたシートを１枚ずつに分離し、挟持して給送する分離給送部と、前記分離給送部から給送されてきたシートを一旦停止させた後、前記転写部へ搬送するレジスト部と、前記レジスト部による再給紙開始時にシートの後端側が前記分離給送部で挟持される長さのシートを搬送する場合において、シートの搬送方向の長さが長い程、前記画像形成部による画像形成開始タイミングに対する、前記レジスト部による再給紙開始タイミングを早くするように制御する制御部と、を備えることを特徴としている。
また、本発明は、画像形成部にて形成されたトナー像を担持する像担持体と、前記像担持体上のトナー像を転写時速度で搬送されるシートに転写する転写部と、シート積載部材に積載されたシートを１枚ずつに分離し、挟持して給送する分離給送部と、前記分離給送部から給送されてきたシートを前記転写部に搬送するレジスト部と、を備え、前記レジスト部が、前記転写時速度よりも速い速度でシートを搬送した後に、シートの先端が前記転写部に達する前に前記転写時速度までシートが減速されるように構成された画像形成装置であって、前記レジスト部がシートを搬送するときに該シートの後端側が前記分離給送部で挟持される第１長さのシートを搬送する場合には、前記レジスト部がシートを搬送するときに該シートの後端側が前記分離給送部で挟持されない、前記第１長さよりも短い第２長さのシートを搬送する場合よりも、前記画像形成部による画像形成開始タイミングに対する、前記レジスト部が前記転写時速度に減速するタイミングを遅くするように制御する制御部を備えることを特徴としている。
【手続補正４】
【補正対象書類名】明細書
【補正対象項目名】００１１
【補正方法】変更
【補正の内容】
【００１１】
更に、本発明は、画像形成部にて形成されたトナー像を担持する像担持体と、前記像担持体上のトナー像を、転写速度で搬送されるシートに転写位置にて転写する転写部と、シート積載部材に積載されたシートを１枚ずつに分離し、挟持して給送する分離給送部と、前記分離給送部から給送されてきたシートを、前記転写部に搬送するレジスト部と、を有し、前記レジスト部が、前記転写速度よりも速い速度でシートを搬送した後に、シートの先端が前記転写部に達する前に前記転写速度に減速してシートを搬送する画像形成装置であって、前記レジスト部がシートを搬送するときに該シートの後端側が前記分離給送部で挟持される長さのシートを搬送する場合において、シートの搬送方向の長さが長い程、前記画像形成部による画像形成開始タイミングに対する前記レジスト部が前記転写速度に減速するタイミングを遅くするように制御する制御部を有することを特徴としている。
また、本発明は、画像形成部にて形成されたトナー像を担持する像担持体と、前記像担持体上のトナー像をシートに転写位置にて転写する転写部と、シート積載部材に積載されたシートを1枚ずつに分離し、挟持して給送する分離給送部と、前記分離給送部から給送されてきたシートを前記転写部へ搬送するレジスト部と、前記レジスト部がシートを搬送するときに該シートの後端側が前記分離給送部で挟持される第１長さのシートを搬送する場合には、前記レジスト部がシートを搬送するときに該シートの後端側が前記分離給送部で挟持されない、前記第１長さよりも短い第２長さのシートを搬送する場合よりも、前記画像形成部による画像形成開始タイミングを遅くするように制御する制御部と、を有することを特徴としている。
更に、本発明は、画像形成部にて形成されたトナー像を担持する像担持体と、前記像担持体上のトナー像をシートに転写位置にて転写する転写部と、シート積載部材に積載されたシートを１枚ずつに分離し、挟持して給送する分離給送部と、前記分離給送部から給送されてきたシートを前記転写部へ搬送するレジスト部と、前記レジスト部がシートを搬送するときに該シートの後端側が前記分離給送部で挟持される長さのシートを搬送する場合において、搬送されるシートの搬送方向の長さが長い程、前記画像形成部による画像形成開始タイミングを遅くするように制御する制御部と、を有することを特徴としている。
【手続補正５】
【補正対象書類名】明細書
【補正対象項目名】００１２
【補正方法】変更
【補正の内容】
【００１２】
本発明によると、モータの大型化等によるコストアップを招来せず、多種多様な種類やサイズの異なるシートへのレジスト部による圧痕の発生を防止することができる。更に、シートにおける画像の位置ズレが少ない良好な画像を形成することが可能になる。
【手続補正６】
【補正対象書類名】明細書
【補正対象項目名】００１３
【補正方法】変更
【補正の内容】
【００１３】
また、本発明によると、モータの大型化等によるコストアップを招来せず、多種多様な種類やサイズの異なるシートへのレジスト部による圧痕の発生を防止することができる。更に、シートにおける画像の位置ズレが少ない良好な画像を形成することが可能になる。
【手続補正７】
【補正対象書類名】明細書
【補正対象項目名】００１４
【補正方法】変更
【補正の内容】
【００１４】
また、本発明によると、モータの大型化等によるコストアップを招来せず、多種多様な種類やサイズの異なるシートへのレジスト部による圧痕の発生を防止することができる。更に、シートにおける画像の位置ズレが少ない良好な画像を形成することが可能になる。
【手続補正８】
【補正対象書類名】明細書
【補正対象項目名】００３４
【補正方法】変更
【補正の内容】
【００３４】
シート長さ判断部２３ｂは、搬送されるシートＳの搬送方向長さＬｓは、第１シート長（第１長さ）と第２シート長（第２長さ）の何れであるかを判断する。第１シート長（第１長さ）は、シートの先端がレジストローラ対７６に到達した際にシートの後端側に分離給送部６７から負荷を受け得るシート長さである。第２シート長（第２長さ）は、シートの先端がレジストローラ対７６に到達した際にシートの後端側に分離給送部６７から受ける負荷が第１シート長よりも小さいシート長さである。即ち本実施形態において、第１シート長は、シートＳの先端（図１の左側）がレジストローラ対７６に到達した時点でシートＳの後端側（図１の右側）が分離給送部６７のニップ部で挟持されて分離給送部６７による負荷が作用し得る長さである。第２シート長は、シートＳの先端がレジストローラ対７６に到達した時点でシートＳの後端側が分離給送部６７のニップ部で挟持され得ない長さであり、シートの後端側に分離給送部６７から受ける負荷が無い（第１シート長の場合よりも小さい）。つまり、シート長さ判断部２３ｂは、シートＳの搬送方向長さＬｓが、第１シート長（後述のＬ１＋α＜Ｌｓ＜Ｌ２、Ｌ２＜Ｌｓ）と、第２シート長（後述のＬｓ＜Ｌ１＋α）との何れであるかを判断する。そして、シート長さ判断部２３ｂは、シートＳの入力された坪量信号ｄ２に基づく坪量は通常であると坪量判断部２３ａにより判断された際に、シートＳの搬送方向長さが第１シート長であるか否かを、即ち後述の第１〜第３シートサイズの何れであるかを判断する。